(57)【要約】      （修正有）【課題】IPパケット転送装置とネットワーク管理装置と端末を有するネットワークにおいて、IPパケット転送装置内部に時刻管理機能を持つことなく、IPパケット転送装置が有する全般的な機能に対して、IPパケット転送装置での処理方法および処理が可能なIPパケット転送装置を提供する。【解決手段】IPパケット転送装置内部に、受信したIPパケットの宛先が自機若しくはIPパケット転送装置に隣接されているネットワークセグメント内の接続されている端末であることを判別する手段と、受信したIPパケットに時刻指定が記載されているかを判別する手段と、受信したIPパケットを指定された時刻まで記憶装置に格納する手段を備え、指定された時刻に到達した際に、自宛先の場合はIPパケットに指定された内容の実行し、宛先が隣接されているネットワークセグメント内の接続されている端末の場合は該当端末へ送信する手段を備える。【選択図】図１
2008263461.tif 000002
【特許請求の範囲】
【請求項１】
IPパケット転送機能を持つ複数のIPパケット転送装置と、前記各IPパケット転送装置を管理するネットワーク管理装置と、複数の端末を有するネットワークにおけるIPパケット転送装置であって、
前記ネットワーク管理装置よりIPパケット内部に時刻情報を付加されたIPパケットを受信し、
前記IPパケット転送装置は、受信したIPパケットの宛先が自機若しくはIPパケット転送装置に隣接されているネットワークセグメント内の接続されている端末であることを判別する手段と、前記受信したIPパケットに時刻指定が記載されているかを判別する手段と、前記受信したIPパケットを指定された時刻まで記憶装置に格納する手段を備え、指定された時刻に到達した際に、受信したIPパケットの宛先の場合はIPパケットに指定された内容の実行し、また前記受信したIPパケットの宛先がIPパケット転送装置に隣接されているネットワークセグメント内の接続されている端末の場合は該当端末へ送信する手段とを有し、前記受信するIPパケ指定された時刻を認識し、時刻情報に基づき自動的に動作することを特徴とするIPパケット転送装置。
【請求項２】
前記IPパケット転送装置が受信するIPパケットをIPパケット転送装置内の記憶装置に格納し、時刻情報に到達するまで情報を記憶装置に蓄積することを特徴とする請求項１記載のIPパケット転送装置。
【請求項３】
前記IPパケット転送装置が受信するIPパケットをIPパケット転送装置内の記憶装置に格納し、時刻情報に到達した際に、該IPパケットが自IPパケット転送装置宛の場合は、IPパケット情報に基づき処理を実行し、該IPパケットが自IPパケット転送装置に隣接するネットワークセグメント内部の端末宛の場合は、送信先の端末に対しIPパケットを転送することを特徴とする請求項２に記載のIPパケット転送装置。
【請求項４】
IPパケット転送機能を持つ複数のIPパケット転送装置と、前記各IPパケット転送装置を管理するネットワーク管理装置と、複数の端末を有するネットワークにおけるIPパケット処理方法であって、
前記ネットワーク管理装置よりIPパケット内部に時刻情報を付加されたIPパケットを受信し、
前記IPパケット転送装置は、受信したIPパケットの宛先が自機若しくはIPパケット転送装置に隣接されているネットワークセグメント内の接続されている端末であることを判別し、前記受信したIPパケットに時刻指定が記載されているかを判別し、前記受信したIPパケットを指定された時刻まで記憶装置に格納し、指定された時刻に到達した際に、受信したIPパケットの宛先の場合はIPパケットに指定された内容の実行し、また前記受信したIPパケットの宛先がIPパケット転送装置に隣接されているネットワークセグメント内の接続されている端末の場合は該当端末へ送信し、前記受信するIPパケ指定された時刻を認識し、時刻情報に基づき自動的に動作することを特徴とするIPパケット転送装置。
【請求項５】
前記IPパケット転送装置が受信するIPパケットをIPパケット転送装置内に格納し、時刻情報に到達するまで情報を記憶装置に蓄積することを特徴とする請求項４記載のIPパケット処理方法。
【請求項６】
前記IPパケット転送装置が受信するIPパケットをIPパケット転送装置内に格納し、時刻情報に到達した際に、該IPパケットが自IPパケット転送装置宛の場合は、IPパケット情報に基づき処理を実行し、該IPパケットが自IPパケット転送装置に隣接するネットワークセグメント内部の端末宛の場合は、送信先の端末に対しIPパケットを転送することを特徴とする請求項５に記載のIPパケット処理方法。
【発明の詳細な説明】
【技術分野】
【０００１】
本発明は、IPパケット処理方法およびIPパケット転送装置に関し、特に、IPパケット転送装置がネットワーク管理装置より指定された時刻を自動的に認識し、指定された時刻までIPパケットを内部の記憶装置に格納し、指定された時刻に到達した際に、自動的にIPパケットの内容を実行する方法およびIPパケット転送装置に関する。
【背景技術】
【０００２】
従来、IPパケット転送装置へIPパケットの送達を時刻を指定して行なう場合、内部に時刻管理機能を持つ送信元側の端末で、該当のIPパケットを指定時刻まで保持し、前記指定時刻にIPパケットを送信する方法を用いていた。
また、従来は一部の機能に特化したIPパケットに対して時刻指定を行なっていた。また、アクセス制御システムにおける時刻指定方法については、例えば特開２００６−５３８２４号公報に記載されているような技術がある。
【０００３】
【特許文献１】特開２００６−５３８２４号公報
【発明の開示】
【発明が解決しようとする課題】
【０００４】
特許文献１に開示されたようなアクセス制御システムにおいて行う時刻指定方法では、内部に時刻管理機能を有し、イベント発生を制御する送信元の端末がなければならない、という問題があった。
【０００５】
また、IPパケットの送達時刻を指定する場合、従来の方法は該当の機能を有するIPパケットに特化した時刻指定方法であり、IPパケット転送装置が有する全般的な機能に対して時刻を指定する方法はなかった。
【０００６】
本発明は、上記課題を解決するためになされたもので、その目的は、複数のIPパケット転送装置とネットワーク管理装置と複数の端末を有するネットワークにおいて、IPパケット転送装置内部に時刻管理機能を持つことなく、IPパケット転送装置が有する全般的な機能に対して、IPパケット転送装置での処理方法および処理が可能なIPパケット転送装置を提供することにある。
【課題を解決するための手段】
【０００７】
本願において開示される発明のうち、代表的なものの概要を簡単に説明すれば、下記のとおりである。
すなわち、複数のIPパケット転送装置とネットワーク管理装置と複数の端末を有するネットワークにおいて、前記IPパケット転送装置内部に、受信したIPパケットの宛先が自機若しくはIPパケット転送装置に隣接されているネットワークセグメント内の接続されている端末であることを判別する手段と、前記受信したIPパケットに時刻指定が記載されているかを判別する手段と、前記受信したIPパケットを指定された時刻まで記憶装置に格納する手段を備え、指定された時刻に到達した際に、受信したIPパケットの宛先の場合はIPパケットに指定された内容の実行し、また前記受信したIPパケットの宛先がIPパケット転送装置に隣接されているネットワークセグメント内の接続されている端末の場合は該当端末へ送信する手段を備えるものである。
【発明の効果】
【０００８】
上述した手段によれば、複数のIPパケット転送装置とネットワーク管理装置と複数の端末を有するネットワークにおいて、IPパケット転送装置内部に時刻管理機能を持つことなく、IPパケット転送装置が有する全般的な機能に対して、IPパケット転送装置での処理方法および処理が可能となる。また、複数のIPパケット転送装置とネットワーク管理装置と複数の端末を有するネットワークおいて、複数のIPパケット転送装置に対する設定変更情報と時刻指定を有して事前に送信しておくことにより、同時刻に設定変更作業を実施、反映することが可能であり、作業効率の向上が可能である。
【発明を実施するための最良の形態】
【０００９】
以下、本発明について、実施例を用いて説明する。
なお、実施例を説明するための全図において、同一機能を有するものは同一符号を付け、その繰り返しの説明は省略する。
【００１０】
図１は、本発明による一実施例のIPパケット転送装置とネットワーク管理装置と端末を有するネットワークを示す図である。
【００１１】
図２は、本発明による一実施例のIPパケット転送装置内部での時刻指定を有するIPパケット受信時の処理手順を示すフローチャートである。
【００１２】
図１に示すように、本実施例のIPパケット転送装置とネットワーク管理装置と端末を有するネットワークは、複数のIPパケット装置１００を接続し、また各IPパケット転送送致は複数の端末１０２、及びネットワーク管理装置１０１が接続されている。
ネットワーク管理端末１０１、または端末１０２から送信されたIPパケットをIPパケット転送装置が受信した場合、前記IPパケットの宛先が本IPパケット転送端末であるか、本IPパケット転送装置に隣接するネットワークセグメント内の端末であるかを判別する。
前記IPパケットがIPパケットの宛先が本IPパケット転送装置であるか、本IPパケット転送装置に隣接するネットワークセグメント内の端末である場合、時刻指定情報を有しているかを確認し、前記時刻指定情報を有していた場合は、本IPパケット転送装置内部の記憶装置に指定時刻まで格納する。
【００１３】
IPパケット転送装置内部には、受信したIPパケットの宛先が自機若しくはIPパケット転送装置に隣接されているネットワークセグメント内の接続されている端末であることを判別する手段と、受信したIPパケットに時刻指定が記載されているかを判別する手段と、受信したIPパケットを指定された時刻まで記憶装置に格納する手段を備え、指定された時刻に到達した際に、受信したIPパケットの宛先の場合はIPパケットに指定された内容の実行し、また受信したIPパケットの宛先がIPパケット転送装置に隣接されているネットワークセグメント内の接続されている端末の場合は該当端末へ送信する手段を備える。
【００１４】
前記IPパケット転送装置内部の記憶装置に格納したIPパケットの指定時刻に到達した場合、本IPパケット転送装置に対するIPパケットの場合は、本IPパケット内で処理を実行し、本IPパケット転送装置に隣接するネットワークセグメント内の端末に対するIPパケットの場合は、前記端末宛にIPパケットを転送する。  図３は、本発明による時刻判別方法の一実施例である。
【００１５】
IPパケット転送装置１００が読み取れるフォーマットであるIPパケットのデータ部の一部に時刻指定読取エリア３０１を有し、このエリア内の時刻指定結有効無効フラグ３０２が有効である時、同エリアにある送信時刻エリア３０３の時刻を読取り、対象のパケットを格納する。この際このIPパケットは、端末より生成するものとする。３０３にある時刻になった場合、IPパケット転送装置１００より受信側のIPパケット転送装置に送られ、最終的に受信端末に送られる。ここで、時刻指定有効無効フラグ３０２が無効の場合、通常どおりのパケット転送が行われるものとする。
【図面の簡単な説明】
【００１６】
【図１】本発明の一実施例のIPパケット転送装置とネットワーク管理装置と端末を有するネットワークを示す図である。
【図２】本発明による一実施例のIPパケット転送装置内部での時刻指定を有するIPパケット受信時の処理手順を示すフローチャートである。
【図３】本発明による時刻判別方法の一実施例である。
【符号の説明】
【００１７】
１００ … IPパケット転送装置
１０１ … 端末
１０２ … ネットワーク管理端末
２０１ … パケット受信処理
２０２ … 時刻指定判定処理
２０３ … パケット送信処理（１）
２０４ … パケットデータ格納処理
２０５ … タイマ（時刻）判定処理
２０６ … パケットルーティング処理
２０７ … パケット送信処理（２）
２０８ … パケット転送処理
３０１ … 送信時刻読取エリア
３０２ … 時刻指定有効無効フラグ
３０３ … 送信時刻エリア
【図１】
2008263461.tif 000003
【図２】
2008263461.tif 000004
【図３】
2008263461.tif 000005